(57)【要約】【課題】両リムを前方向あるいは後方向、上下方向に屈曲する力、および互いに反対方向に捩じる力が作用しても大きな弾性復帰力で元の状態に復元可能とする。【解決手段】両リムを連結するブリッジを複数本の条体で形成し、条体間に隙間を形成した状態で、ある条体でリムの前面側間を、他の条体でリムの裏面側間をそれぞれ連結する。【選択図】        図１
2005157046.tif 000002
【特許請求の範囲】
【請求項１】
ブリッジを介して左右リムが連結された眼鏡フレームであって、該眼鏡フレームは、前記ブリッジを複数本の条体で構成するとともに、所定の条体を左右リムの前面側で、他の条体を裏面側で互いに隙間を有した状態で溶着して両リムを連結することを特徴とする眼鏡フレーム。
【請求項２】
ブリッジを介して左右リムが連結された眼鏡フレームであって、該眼鏡フレームは、前記ブリッジを３本の条体で構成するとともに、上位と下位の条体を左右リムの前面側で、中位の条体を裏面側で互いに隙間を有した状態で溶着して両リムを連結することを特徴とする眼鏡フレーム。
【請求項３】
ブリッジを介して左右リムが連結された眼鏡フレームであって、該眼鏡フレームは、前記ブリッジを３本の条体で構成するとともに、上位と下位の条体を左右リムの前面側で、中位の条体を裏面側で互いに隙間を有した状態で溶着して両リムを連結し、この両リムの外側に湾曲状の鎧を介してテンプルがそれぞれ配設されていることを特徴とする眼鏡フレーム。
【請求項４】
前記左右リムの裏面側に溶着される中位の条体は、その裏面側および側面側が溶着されている請求項２および３記載の眼鏡フレーム。
【発明の詳細な説明】
【技術分野】
【０００１】
この発明は湾曲させる力を作用させても確実に元の状態に復帰することができるような弾性を有する眼鏡フレームに関するものである。
【背景技術】
【０００２】
一般に眼鏡フレームにあっては、フルリムタイプ、ツーポイントタイプのものが存在する。この場合、レンズの周囲に渡ってリムで保持するフルリムタイプの方が、レンズの保持や、破損を防止するためには優れている。このフルリムタイプの眼鏡フレームにあっては、両レンズを全周に渡って保持する環状の左右一対のリムが単一のブリッジによって一体に連結され、この両リムの内側にそれぞれノーズパッドを保持する脚が取り付けられ、一方、両リムの外側にはそれぞれ鎧を介して使用者の頭部の側部に当接するテンプルが回動可能に取り付けられている。
【０００３】
上記のように構成されている眼鏡フレームにあっては、両テンプルで使用者の頭部を挟持するとともに、両ノーズパッドが使用者の鼻に当接することで、使用者の目の前面に両レンズを保持するように構成されている。そして、鎧やテンプルの曲げ具合を調整し、さらに脚を曲げてノーズパッドの位置を調整する等して使用者に対して最適な状態になるように調整している。
【０００４】
しかしながら、両レンズを保持するリムは単一のブリッジを介して連結されているので、たとえば、ブリッジを境にして両リムを前方向あるいは後方向に、さらには上下方向に屈曲する力が作用して屈曲変形した場合は弾性復帰力が小さいのでその屈曲した状態に保持されてしまうことになる。特に、両リムに互いに反対方向に捩じる力が作用して両リムが捩じれてしまった場合には捩じれてしまったままとなり、元の状態に復帰させるには微妙な調整が必要となって簡単な調整ではなくなってしまうという問題があった。  
【特許文献１】特開平８−２８６１５３号公報
【発明の開示】
【発明が解決しようとする課題】
【０００５】
この発明は、ブリッジを境にして両リムを前方向あるいは後方向、さらには上下方向に屈曲する力が作用しても大きな弾性復帰力によって元の状態に復元可能とし、さらに、両リムに互いに反対方向に捩じる力が作用した場合であっても捩じれに対する大きな弾性復帰力によって元の状態に復元可能とすることを目的とする。
さらに、使用者が装着した状態で両リムが変形するような力が作用した場合であっても、両テンプルが使用者の頭部を柔軟に挟持することを目的とする。
【課題を解決するための手段】
【０００６】
この発明は、ブリッジを介して左右リムが連結された眼鏡フレームであって、該眼鏡フレームは、前記ブリッジを複数本の条体で構成するとともに、所定の条体を左右リムの前面側で、他の条体を裏面側で互いに隙間を有した状態で溶着して両リムを連結することを特徴とする。
また、この発明は、ブリッジを介して左右リムが連結された眼鏡フレームであって、該眼鏡フレームは、前記ブリッジを３本の条体で構成するとともに、上位と下位の条体を左右リムの前面側で、中位の条体を裏面側で互いに隙間を有した状態で溶着して両リムを連結することを特徴とする。
さらに、この発明は、ブリッジを介して左右リムが連結された眼鏡フレームであって、該眼鏡フレームは、前記ブリッジを３本の条体で構成するとともに、上位と下位の条体を左右リムの前面側で、中位の条体を裏面側で互いに隙間を有した状態で溶着して両リムを連結し、この両リムの外側に湾曲状の鎧を介してテンプルがそれぞれ配設されていることを特徴とする。
そして、左右リムの裏面側に溶着される中位の条体は、その裏面側および側面側が溶着されている。
【発明の効果】
【０００７】
この発明の眼鏡フレームにあっては、両リムを連結するブリッジを複数本で形成するとともに、所定のブリッジを両リムの前面側で、また他のブリッジを両リムの裏面側で連結するようにしたので、大きな弾性復帰力を有するようになり、ブリッジを境にして両リムが互いに後方に屈曲した場合や、互いに前方に屈曲した場合、さらには上方あるいは下方に屈曲した場合であっても確実に元の状態に復帰することができる。さらに、両リムを互いに逆方向に捩じった場合であっても確実に元の状態に復帰することができる。
さらに、上記の力が使用者に装着した状態で作用したとしても湾曲状の鎧によって使用者の頭部を柔軟に挟持することにより確実に当初の状態に復帰することができる。
そして、この構造はすべての眼鏡フレームに有効であり、リムを有するタイプおよび所謂ツーポイントタイプにも有効である。
【発明を実施するための最良の形態】
【０００８】
フルリムタイプの眼鏡フレームにおいて、ブリッジを境にして両リムが前後方向、上下方向に屈曲し、さらには互いに反対方向に捩じれた場合であっても大きな弾性力によって確実に元の状態に復帰させるという目的を、両リムを連結するブリッジを互いに隙間を有した状態で複数本で形成することで達成できた。
さらに、湾曲状の鎧を用いることで両リムが変位するような力が作用しても頭部を挟持した当初の状態に保持することができる。
【実施例】
【０００９】
以下、図面に示すこの発明の実施例について説明する。
図１にはこの発明による眼鏡フレームが示されていて、この眼鏡フレーム１はブリッジ２を介して連結された左右一対のリム３、３と、この左右一対のリム３、３の外側にそれぞれ取り付けられた湾曲状の鎧４、４と、両鎧４、４にそれぞれ連結されたテンプル５、５とを有している。
この鎧４、４は湾曲状をなしているのでテンプルが変位する時は鎧４、４の全体で変位力を受け取るようになる。
【００１０】
なお、６、６は両リム３、３の内側に取り付けられた脚７、７に取り付けられて使用者の鼻の両側で保持するためのノーズパッド、８、８は両リム３、３によって保持されているレンズである。
【００１１】
上記のような眼鏡フレーム１の両リム３、３と、この両リム３、３を連結しているブリッジ２との位置関係は図２、図３に示されている。
この場合、図２は眼鏡フレーム１の前面側から見た概略図、図３は後面側から見た概略図である。
【００１２】
図２、図３において、両リム３、３は３本の条体２ａ、２ｂ、２ｃから構成されているブリッジ２によって一体に連結されている。この３本の条体２ａ、２ｂ、２ｃは、上位および下位のもの２ａ、２ｃはその両端が両リム３、３の前面側に溶着されており、中位のもの２ｂは、その両端が両リム３、３の裏面側に溶着されている。この場合、中位のもの２ｂはその裏面側および側面側が両リム３、３に溶着されている。しかも、各条体２ａ、２ｂ、２ｃ間には隙間が形成されている。
なお、図２および図３においてはブリッジ２を３本の条体２ａ、２ｂ、２ｃで構成したが、複数本であれば良いものである。
【００１３】
また、前記両リム３、３の内側には脚７、７が溶着され、各脚７、７にはノーズパッド６、６がそれぞれ配設されている。
【００１４】
上記のように構成されている眼鏡フレーム１において、まず、両リム３、３を前方あるいは後方へ曲げるような力が作用した場合にはこの力はブリッジ２に集中して作用する。この場合、ブリッジ２は３本の条体２ａ、２ｂ、２ｃで構成され、しかも、互いに隙間を有しているとともに、上位および下位のもの２ａ、２ｃは両リム３、３の前面側に溶着され、中位のもの２ｂは両リム３、３の裏面側に溶着されているので、１本のブリッジと比べて大きな弾性復帰力となる。
【００１５】
このために、両リム３、３は元の状態に確実に復帰することになる。このことは、両リム３、３を上方あるいは下方に変位するような力が作用した場合であっても、さらには、両リム３、３を互いに逆方向に捩じるような力が作用した場合であっても、その時の力はブリッジ２に集中して作用する。そしてブリッジ２は隙間を有する３本の条体２ａ、２ｂ、２ｃによって構成されているので大きな弾性復帰力を得ることができて確実に元の状態に復帰することができる。
しかも、湾曲状の鎧によって使用者の頭部を挟持した状態を保持することができる。
【図面の簡単な説明】
【００１６】
【図１】この発明による眼鏡フレームを下方から見た状態を示す概略図である。
【図２】この発明による眼鏡フレームを前面から見た時の要部の概略正面図である。
【図３】この発明による眼鏡フレームを後面から見た時の要部の概略裏面図である。
【符号の説明】
【００１７】
１  眼鏡フレーム
２  ブリッジ
２ａ、２ｂ、２ｃ  条体
３  リム
４  鎧
５  テンプル
６  ノーズパッド
７  脚
８  レンズ
【図１】
2005157046.tif 000003
【図２】
2005157046.tif 000004
【図３】
2005157046.tif 000005